(57)【要約】（課題）  ＷＳＳを多重化又は冗長化すると、ＷＳＳ装置を用いたＲＯＡＤＭ装置の構造は、さらに複雑になる。（解決手段）  光伝送装置は、入力される第１の信号光と第２の信号光から任意の波長を合分波して出力する光分岐挿入多重化装置と、前記第１の信号光と前記第２の信号光の入力の切り替え先となる合分波装置とを備え、前記合分波装置は、前記第１の信号光の所定の波長帯域を透過し、前記透過した第１の信号光と、前記第２の信号光とを合分波して出力することを特徴とする。
2018105506.tif 000002
【特許請求の範囲】
【請求項１】
入力される第１の信号光と第２の信号光とから任意の波長を合分波して出力する光分岐挿入多重化手段と、前記第１の信号光と前記第２の信号光との入力の切り替え先となる合分波手段とを備え、
前記合分波手段は、前記第１の信号光の所定の波長帯域を透過し、前記透過した第１の信号光と、前記第２の信号光とを合波して出力することを特徴とする光伝送装置。
【請求項２】
前記合分波手段は、前記第１の信号光の所定の波長帯域を透過する分波部と、前記透過した第１の信号光と前記第２の信号光を合波する合波部と、を備えることを特徴とする
請求項１に記載の光伝送装置。
【請求項３】
前記合分波手段を複数備え、それぞれ透過する所定の波長帯域が異なることを特徴とする
請求項１又は２に記載の光伝送装置。
【請求項４】
前記第１の信号光と前記第２の信号光の入力の切り替え先を、前記複数の合分波手段から選択することを特徴とする
請求項３に記載の光伝送装置。
【請求項５】
前記合分波手段は、上流側から入力される信号光と下流側から入力される信号光の、それぞれの切り替え先として共有されていることを特徴とする
請求項１から４のいずれかに記載の光伝送装置。
【請求項６】
前記第１の信号光と前記第２の信号光の入力先の切り替えを行う光スイッチを備えることを特徴とする
請求項１から４のいずれかに記載の光伝送装置。
【請求項７】
前記第１の信号光と前記第２の信号光の出力先の切り替えは、前記光分岐挿入多重化手段の故障を検知する制御手段からの指示により行われることを特徴とする請求項１から５のいずれかに記載の光伝送装置。
【請求項８】
第１の信号光と第２の信号光の入力先を光分岐挿入多重化手段から合分波手段に切り替え、前記第１の信号光の所定の波長帯域を透過し、前記透過した第１の信号光と、前記第２の信号光とを合波して出力する光伝送方法。
【請求項９】
前記切り替えは、複数の合分波手段から選択して行うことを特徴とする請求項７に記載の光伝送方法。
【請求項１０】
上流側から入力される信号光と下流側から入力される信号光のうち、前記光分岐挿入多重化手段が故障した側の信号光の入力先を切り替えることを特徴とする請求項７又は８に記載の光伝送方法。
【発明の詳細な説明】
【技術分野】
【０００１】
本発明は、光通信システムにおける光伝送装置および光伝送方法に関する。
【背景技術】
【０００２】
近年、海底ケーブルを用いる海底通信システムにおいて、ＯＡＤＭ（Ｏｐｔｉｃａｌ  Ａｄｄ／Ｄｒｏｐ  Ｍｕｌｔｉｐｌｅｘｉｎｇ）装置の導入が進んでいる。ＯＡＤＭ装置は海底に敷設される分岐装置に設けられ、送信元トランク局から入力された信号光と、ブランチ局から入力された信号光とを合分波して、宛先トランク局に出力する。【０００３】
ＯＡＤＭ装置が設けられた分岐装置を陸に引き揚げることなく、運用開始後のネットワーク構成の変更に対応するために、再構成可能なＯＡＤＭ（ＲＯＡＤＭ：Ｒｅｃｏｎｆｉｇｕｒａｂｌｅ  ＯＡＤＭ）装置が適用されるようになった。特開２０１０−０９８５４５号公報には、光分岐挿入多重化装置（以下、ＷＳＳ（Ｗａｖｅｌｅｎｇｔｈ  Ｓｅｌｅｃｔｉｖｅ  Ｓｗｉｔｃｈ）と呼ぶ）を用いたＲＯＡＤＭ装置が開示されている。ＷＳＳは、入力される光信号を波長単位で分ける「分波」、分波した光信号を選択するための「スイッチング」、および選択された光信号の「合波」の３つの機能を備えた波長選択デバイスである。【０００４】
ＷＳＳのような波長選択デバイスは、波長の切替を行うＭＥＭＳ（Ｍｉｃｒｏ  Ｅｌｅｃｔｒｏ  Ｍｅｃｈａｎｉｃａｌ  Ｓｙｓｔｅｍｓ）やＬＣＯＳ（Ｌｉｑｕｉｄ  Ｃｒｙｓｔａｌ  Ｏｎ  Ｓｉｌｉｃｏｎ）等の光学素子、波長切り替え素子とファイバとの間を光学的に結合するレンズ等の光学部品、及び波長選択素子を制御する電子回路から構成されている。従って、ＷＳＳのような波長選択デバイスには、構成が複雑であり、故障率が高いという問題があった。【０００５】
この問題点を解決する手段として、非特許文献１に、ＷＳＳを多重化又は冗長化している構成が開示されている。
【先行技術文献】
【特許文献】
【０００６】
【特許文献１】特開２０１０−０９８５４５号公報
【非特許文献】
【０００７】
【非特許文献１】Jose Chesnoy, et al., ”Undersea Fiber Communication Systems 2nd Edition” p. 445
【発明の概要】
【発明が解決しようとする課題】
【０００８】
非特許文献１の発明のようにＷＳＳを多重化又は冗長化すると、部品点数がさらに増加する。また冗長分を含めたＷＳＳを制御する回路も必要となる。従って、ＷＳＳ装置を用いたＲＯＡＤＭ装置の構造は、さらに複雑になるという問題があった。【０００９】
本発明の目的は、ＷＳＳの冗長性を備えた構造を、簡易に実現する光伝送装置および光伝送方法を提供することにある。
【課題を解決するための手段】
【００１０】
本発明による光伝送装置は、入力される第１の信号光と第２の信号光とから任意の波長を合分波して出力する光分岐挿入多重化装置と、前記第１の信号光と前記第２の信号光との入力の切り替え先となる合分波装置とを備え、前記合分波装置は、前記第１の信号光の所定の波長帯域を透過し、前記透過した第１の信号光と、前記第２の信号光とを合波して出力することを特徴とする。【００１１】
本発明による光伝送方法は、第１の信号光と第２の信号光との入力先を光分岐挿入多重化装置から合分波装置に切り替え、前記第１の信号光の所定の波長帯域を透過し、前記透過した第１の信号光と、前記第２の信号光とを合波して出力することを特徴とする。
【発明の効果】
【００１２】
本発明によれば、ＷＳＳを用いた光伝送装置において、冗長性を持たせながらも、簡易な構造を提供することができる。
【図面の簡単な説明】
【００１３】
【図１】第１の実施形態による光伝送装置の構成例を示す図である。
【図２】第１の実施形態による光伝送装置の構成例を示す図である。
【図３】第１の実施形態による光伝送装置の構成例を示す図である。
【図４】第１の実施形態による光伝送装置の動作例を示すフローチャートである。
【図５】第２の実施形態による光伝送装置の構成例を示す図である。
【図６】第２の実施形態による光伝送装置の構成例を示す図である。
【図７】第２の実施形態による合分波装置の構成例を示す図である。
【図８】第２の実施形態による光伝送装置の動作例を示すフローチャートである。
【図９】第２の実施形態によるＷＳＳの動作例を示すフローチャートである。
【図１０】第２の実施形態による合分波装置の動作例を示すフローチャートである。
【図１１】第３の実施形態による光伝送装置の構成例を示す図である。
【図１２】第３の実施形態による光伝送装置の構成例を示す図である。
【図１３】第３の実施形態による光伝送装置の構成例を示す図である。
【図１４】第３の実施形態による光伝送装置の構成例を示す図である。
【図１５】第３の実施形態による光伝送装置の動作例を示すフローチャートである。
【図１６】第４の実施形態による光伝送装置の構成例を示す図である。
【図１７】第４の実施形態による光伝送装置の構成例を示す図である。
【図１８】第４の実施形態による光伝送装置の構成例を示す図である。
【図１９】第４の実施形態による光伝送装置の動作例を示すフローチャートである。
【発明を実施するための形態】
【００１４】
次に、本発明の実施形態について図面を参照して詳細に説明する。
【００１５】
［第１の実施形態］
［構成］
図１は、本発明の第１の実施形態における光伝送装置の構成例を示している。図１によれば、光伝送装置１００は、ＷＳＳ１１０と、合分波装置１２０と、を備える。また光伝送装置１００は、トランク局２００、３００およびブランチ局４００と接続され、それぞれから信号光が入力される。図１にはトランク局２００側（上流方向）から入力される信号光の経路を矢印で示している。トランク局３００側（下流方向）から入力される信号光と、その経路上に設けられたＷＳＳおよび合分波装置は、上流方向と同じであるため、図示していない。
【００１６】
ＷＳＳ１１０は、トランク局から入力される信号光（第１の信号光）とブランチ局から入力される信号光（第２の信号光）を、任意の波長帯域にて合分波して出力する。「任意の波長帯域」とは、光伝送装置１００の敷設後に適宜変更できる波長帯域であることを意味する。
【００１７】
合分波装置１２０は、第１の信号光の所定の波長帯域を透過し、透過した第１の信号光と、第２の信号光とを合波して出力する。「所定の波長帯域」とは、光伝送装置１００の敷設時に予め設定された波長帯域であることを意味する。合分波装置１２０は、ＷＳＳ１１０と異なり、光伝送装置１００の敷設後に波長帯域を変更するには、装置設計の変更を要する。光伝送装置１００はたとえば海底ケーブルの分岐装置として用いられ、海底に敷設される。従って、海底に敷設されている合分波装置１２０の所定の波長帯域を変更することは困難を要する。その一方で、合分波装置１２０はＷＳＳ１１０と比較して、簡易な構造で実現することができる。なお、本実施形態では、説明を簡単にするために、合分波装置１２０が透過する所定の波長帯域は、ＷＳＳ１１０が合分波する任意の波長帯域と対応しているものとする。
【００１８】
図２は、第１の信号光５００及び第２の信号光５１０が、ＷＳＳ１１０に入力される構成を示している。各信号光は第１の波長帯域と第２の波長帯域とに分割されている。第１の信号光５００は、第１の波長帯域の信号光であるバンド信号５０１と、第２の波長帯域の信号光であるバンド信号５０２とを含む。第２の信号光５１０は、第２の波長帯域の信号光であるバンド信号５１１のみを含む。ＷＳＳ１１０は第１の信号光５００のバンド信号５０１を透過し、バンド信号５０２を遮断する。また、ＷＳＳ１１０は透過したバンド信号５０１と第２の信号光５１０のバンド信号５１１とを合波する。ＷＳＳ１１０は、バンド信号５０１とバンド信号５１１とが合波された第３の信号光５２０を出力する。
【００１９】
図３は、第１の信号光５００及び第２の信号光５１０の入力先が合分波装置１２０に切り替えられている構成を示している。その結果、第１の信号光５００及び第２の信号光５１０は、合分波装置１２０に入力される。合分波装置１２０は第１の信号光５００のバンド信号５０１を透過し、バンド信号５０２を遮断する。また、合分波装置１２０は透過したバンド信号５０１と第２の信号光５１０のバンド信号５１１とを合波する。合分波装置１２０は、バンド信号５０１とバンド信号５１１とが合波された第３の信号光５２０を出力する。
【００２０】
［動作］
以下、図４のフローチャートを用いて第１の実施形態における光伝送装置１００の動作について説明する。図４は、光伝送装置１００に入力される第１の信号光５００と第２の信号光５１０とが、合分波装置１２０に入力されるときの動作を示している。
【００２１】
第１の信号光５００及び第２の信号光５１０の入力先が、ＷＳＳ１１０であるとする。まず、第１の信号光５００と第２の信号光５１０との入力先を合分波装置１２０に切り替える（Ｓ１００１）。
【００２２】
次に、合分波装置１２０は、第１の信号光５００の所定の波長帯域（バンド信号５０１）を透過する（Ｓ１００２）。
【００２３】
合分波装置１２０は、透過した第１の信号光（バンド信号５０１）と第２の信号光５１０とを合波する（Ｓ１００３）。
【００２４】
合分波装置１２０は、合分波した信号光５２０を出力する（Ｓ１００４）。
【００２５】
［効果］
以上説明したとおり、第１の実施形態によれば、ＷＳＳを用いた光伝送装置において、ＷＳＳが故障した場合に備えて、合分波装置を設けている。また合分波装置は所定の波長帯域での制御しかできない一方で、簡易な構造で実現することができる。このことから、光伝送装置にＷＳＳの冗長性を備えさせつつ、簡易な構造を提供することが可能となる。
【００２６】
［第２の実施形態］
［構成］
図５は、本発明の第２の実施形態における光伝送装置の構成例を示している。図５によれば、光伝送装置１００は、ＷＳＳ１１０と、合分波装置１２０と、光カプラ１３０と、光スイッチ１４１、１４２、１４３と、を備える。光伝送装置１００に入力される信号光については、第１の実施形態と同様である。よって同一の符号を付し、詳細な説明は省略する。
【００２７】
光カプラ１３０は、トランク局２００から入力される第１の信号光５００を分岐する。光カプラ１３０は、分岐した第１の信号光５００を、光スイッチ１４１とブランチ局４００とのそれぞれに出力する。
【００２８】
光スイッチ１４１、１４２は、ＷＳＳ１１０と合分波装置１２０とに接続されている。光スイッチ１４１、１４２は信号光の出力先をＷＳＳ１１０と合分波装置１２０とのいずれかに切り替えることができる。
【００２９】
光スイッチ１４３は、ＷＳＳ１１０と合分波装置１２０とに接続されている。光スイッチ１４３は信号光の入力元をＷＳＳ１１０と合分波装置１２０とのいずれかに切り替えることができる。
【００３０】
また、図５はＷＳＳ１１０が故障していないときの構成例を示している。光スイッチ１４１、１４２は信号光の出力先をＷＳＳ１１０としている。また光スイッチ１４３は信号光の入力元をＷＳＳ１１０としている。
【００３１】
第１の信号光５００及び第２の信号光５１０は、ＷＳＳ１１０に入力される。ＷＳＳ１１０は、入力される第１の信号光５００及び第２の信号光５１０を、任意の波長帯域にて合分波する。その結果、ＷＳＳ１１０は、第３の信号光５２０を光スイッチ１４３に出力する。
【００３２】
光スイッチ１４３は、ＷＳＳ１１０から入力される第３の信号光５２０をトランク局３００に出力する。
【００３３】
図６は、ＷＳＳ１１０が故障しているときに、第１の信号光５００及び第２の信号光５１０の入力先が合分波装置１２０に切り替えられている構成を示している。図５と比較すると、光スイッチ１４１、１４２が信号光の出力先をＷＳＳ１１０から合分波装置１２０に切り替えている点で異なる。また光スイッチ１４３が信号光の入力元をＷＳＳ１１０から合分波装置１２０に切り替えている点で異なる。なお、図６では、ＷＳＳ１１０が故障している場合の例を示しているが、この限りではない。第１の実施形態で述べたように、ＷＳＳ１１０が故障していない場合にも、光スイッチ１４１、１４２、１４３は信号光の出力先又は入力元をＷＳＳ１１０から合分波装置１２０に切り替えることができる。
【００３４】
光スイッチ１４１は入力される信号光５００を合分波装置１２０に出力する。光スイッチ１４２は入力される信号光５１０を合分波装置１２０に出力する。
【００３５】
第１の信号光５００及び第２の信号光５１０は、合分波装置１２０に入力される。合分波装置１２０は、入力される第１の信号光５００及び第２の信号光５１０を、所定の波長帯域にて合分波する。その結果、合分波装置１２０は、第３の信号光５２０を光スイッチ１４３に出力する。
【００３６】
図７は、合分波装置１２０の構成を示している。図７によれば、合分波装置１２０は、分波部１２０１と合波部１２０２とから構成される。
【００３７】
分波部１２０１は、入力される信号光の所定の波長帯域を透過する。図７によれば、第１の信号光５００は、分波部１２０１に入力される。分波部１２０１は第１の信号光５００のバンド信号５０１を透過し、バンド信号５０２を遮断する。
【００３８】
合波部１２０２は、入力される信号光を合波する。また合波部１２０２は、合波した信号光を出力する。図７によれば、分波部１２０１が透過した第１の信号光５００及び第２の信号光５１０が、合波部１２０２に入力される。図７によれば、合波部１２０２は、分波部１２０１が透過した第１の信号光５００のバンド信号５０１と、第２の信号光５１０のバンド信号５１１とを合波する。また合波部１２０２は、バンド信号５０１とバンド信号５１１とが合波された第３の信号光５２０を出力する。
【００３９】
再び図６を参照して説明する。光スイッチ１４３は、合分波装置１２０から入力される第３の信号光５２０をトランク局３００に出力する。
【００４０】
［動作］
図８のフローチャートを用いて、第２の実施形態における光伝送装置１００の動作について説明する。図８は、光伝送装置１００に入力される第１の信号光５００及び第２の信号光５１０の入力先が、ＷＳＳ１１０と合分波装置１２０とのいずれかに切り替えられるときの動作を示している。
【００４１】
まず、第１の信号光５００と第２の信号光５１０とが、それぞれトランク局２００とブランチ局４００とから、光伝送装置１００に入力される（Ｓ１１）。
【００４２】
ＷＳＳ１１０が故障していないとき（Ｓ１２のＮｏ）、ＷＳＳ１１０は第１の信号光５００と第２の信号光５１０とを合分波する（Ｓ１３）。
【００４３】
光伝送装置１００は、ＷＳＳ１１０が合分波した信号光である第３の信号光５２０を出力する（Ｓ１４）。
【００４４】
ＷＳＳ１１０が故障しているとき（Ｓ１２のＹｅｓ）、光スイッチ１４１、１４２を切り替え、第１の信号光５００と第２の信号光５１０とを合分波装置１２０に入力する（Ｓ１５）。
【００４５】
合分波装置１２０は、第１の信号光５００と第２の信号光５１０とを合分波する（Ｓ１６）。
【００４６】
光伝送装置１００は、合分波装置１２０が合分波した信号光である第３の信号光５２０を出力する（Ｓ１４）。
【００４７】
図９のフローチャートを用いて、ＷＳＳ１１０の動作について説明する。
【００４８】
ＷＳＳ１１０が故障していないときには、第１の信号光５００と第２の信号光５１０とがＷＳＳ１１０に入力される（Ｓ２１）。
【００４９】
次に、ＷＳＳ１１０は、第１の信号光５００及び第２の信号光５１０の任意の波長を合分波する（Ｓ２２）。
【００５０】
ＷＳＳ１１０は、合分波した信号光である第３の信号光５２０を出力する（Ｓ２３）。
【００５１】
図１０のフローチャートを用いて、合分波装置１２０の動作について説明する。
【００５２】
ＷＳＳ１１０が故障しているとき、第１の信号光５００と第２の信号光５１０とが、合分波装置１２０の分波部１２０１と合波部１２０２とにそれぞれ入力される（Ｓ３１）。
【００５３】
分波部１２０１は、第１の信号光５００の所定の波長帯域を透過する（Ｓ３２）。即ち、バンド信号５０１を透過する。
【００５４】
合波部１２０２は、透過したバンド信号５０１と第２の信号光５１０とを合波する（Ｓ３３）。即ち、バンド信号５０１とバンド信号５１１とを合波する。
【００５５】
合分波装置１２０は、合分波した信号光である第３の信号光５２０を出力する（Ｓ３４）。
【００５６】
［効果］
以上説明したとおり、第２の実施形態によれば、光スイッチを切り替えることにより、ＷＳＳが故障した場合に、信号光の入力先を合分波装置に変更することができる。従って、ＷＳＳが故障した場合でも断線することなく、合分波装置を介して信号光を出力することが可能となる。また合分波装置は、分波部と合波部を備えることで実現できる。そのため合分波装置は、合分波機能だけでなくスイッチング機能等を有するＷＳＳと比較して、部品点数の少ない簡易な構造となる。従って、光伝送装置全体の構造も、部品点数の少ない簡易な構造にすることができる。
【００５７】
［第３の実施形態］
［構成］
図１１は、本発明の第３の実施形態における光伝送装置の構成例を示している。第３の実施形態では、信号光の入力の切り替え先として複数の合分波装置とスルーファイバが設けられている。
【００５８】
図１１によれば、光伝送装置１００は、ＷＳＳ１１０と、第１の合分波装置１２１と、第２の合分波装置１２２と、スルーファイバ１２３と、光カプラ１３０と、光スイッチ１５１、１５２、１５３と、を備える。光伝送装置１００に入力される信号光については、第１の実施形態と同様であるため同一の符号を付し、詳細な説明は省略する。また第１、第２の実施形態と同様の構成についても、同一の符号を付し、詳細な説明は省略する。
【００５９】
第１の合分波装置１２１と第２の合分波装置１２２とは、透過する所定の波長帯域が異なる。第１の合分波装置１２１及び第２の合分波装置１２２が、入力される信号光を合分波して出力する動作は、第１及び第２の実施形態の合分波装置１２０と同様である。また第１の合分波装置１２１及び第２の合分波装置１２２は、第２の実施形態の合分波装置１２０と同様の構成で実現することができる。
【００６０】
スルーファイバ１２３は合分波機能を有さない光回線である。スルーファイバ１２３に入力された信号光は、遮断されることなくそのまま出力される。
【００６１】
光スイッチ１５１は、ＷＳＳ１１０と第１の合分波装置１２１と第２の合分波装置１２２とスルーファイバ１２３とに接続されている。また光スイッチ１５２は、ＷＳＳ１１０と第１の合分波装置１２１と第２の合分波装置１２２とに接続されている。光スイッチ１５１、１５２は、信号光の出力先を接続先のいずれかに切り替えることができる。
【００６２】
光スイッチ１５３は、ＷＳＳ１１０と第１の合分波装置１２１と第２の合分波装置１２２とスルーファイバ１２３とに接続されている。光スイッチ１５３は、信号光の入力元を接続先のいずれかに切り替えることができる。
【００６３】
また、図１１は、ＷＳＳ１１０が故障していないときの構成例を示している。このとき、光スイッチ１５１、１５２は信号光の出力先をＷＳＳ１１０としている。また光スイッチ１５３は信号光の入力元をＷＳＳ１１０としている。
【００６４】
第１の信号光５００及び第２の信号光５１０は、ＷＳＳ１１０に入力される。ＷＳＳ１１０は、入力される第１の信号光５００と第２の信号光５１０とを、任意の波長帯域にて合分波する。その結果、ＷＳＳ１１０は、第３の信号光５２０を光スイッチ１５３に出力する。
【００６５】
図１２は、ＷＳＳ１１０が故障しているときに、第１の信号光５００及び第２の信号光５１０の入力先が第１の合分波装置１２１に切り替えられている構成を示している。図１１と比較すると、光スイッチ１５１、１５２が信号光の出力先を第１の合分波装置１２１に切り替えている点で異なる。また光スイッチ１５３が信号光の入力元を第１の合分波装置１２１に切り替えている点で異なる。
【００６６】
第１の合分波装置１２１が透過する所定の波長帯域は、バンド信号５０１の波長帯域と対応している。第１の信号光５００及び第２の信号光５１０は、第１の合分波装置１２１に入力される。第１の合分波装置１２１は、入力される第１の信号光５００と第２の信号光５１０とを合分波し、第３の信号光５２０を出力する。
【００６７】
次に図１３を用いて、光伝送装置１００に入力される信号光を構成するバンド信号の波長帯域が、図１２に示す信号光と異なる場合の構成例について説明する。図１３に示す第１の信号光６００と第２の信号光６１０とは、図１１、１２に示す信号光と比較して、第１の波長帯域と第２の波長帯域の帯域幅が異なっている。
【００６８】
図１３は、ＷＳＳ１１０が故障しているときに、第１の信号光６００及び第２の信号光６１０の入力先が第１の合分波装置１２２に切り替えられている構成を示している。図１１と比較すると、光スイッチ１５１、１５２が信号光の出力先を第２の合分波装置１２２に切り替えている点で異なる。また光スイッチ１５３が信号光の入力元を第２の合分波装置１２２に切り替えている点で異なる。
【００６９】
第１の信号光６００及び第２の信号光６１０は、図１１の第１の信号光５００及び第２の信号光５１０と比較して、第１の波長帯域と第２の波長帯域の帯域幅が異なる。第１の信号光６００は、第１の波長帯域の信号光であるバンド信号６０１と、第２の波長帯域の信号光であるバンド信号６０２とを含む。第２の信号光６１０は、第２の波長帯域の信号光であるバンド信号６１１のみを含む。
【００７０】
第１の合分波装置１２１が透過する所定の波長帯域はバンド信号５０１と対応しているので、バンド信号６０１の帯域幅で透過することができない。一方で、第２の合分波装置１２２が透過する所定の波長帯域は、バンド信号６０１の波長帯域と対応している。第１の信号光６００と第２の信号光６１０は、第１の合分波装置１２１に入力される。第２の合分波装置１２２は、入力された第１の信号光６００と第２の信号光６１０とを合分波し、第３の信号光６２０を出力する。
【００７１】
図１４は、ＷＳＳ１１０が故障しているときに、第１の信号光５００の入力先がスルーファイバ１２３に切り替えられている構成を示している。図１１と比較すると、光スイッチ１５１が信号光の出力先をスルーファイバ１２３に切り替えている点で異なる。また光スイッチ１５３が信号光の入力元をスルーファイバ１２３に切り替えている点で異なる。
【００７２】
第１の信号光５００は、スルーファイバ１２３に入力される。スルーファイバ１２３に入力された第１の信号光５００は、遮断されることなく透過し、光スイッチ１５３に出力される。
【００７３】
［動作］
以下、図１５のフローチャートを用いて第３の実施形態の動作について説明する。図１５はＷＳＳ１１０が故障しているときの光伝送装置１００の動作を示す。
【００７４】
光伝送装置１００は故障前のＷＳＳ１１０の波長帯域に基づいて、第１の合分波装置１２１、第２の合分波装置１２２、及びスルーファイバ１２３から切り替え先を選択する（Ｓ１０１）。
【００７５】
切り替え先として、第１の合分波装置１２１と第２の合分波装置１２２とのいずれかを選択する場合（Ｓ１０２）、光スイッチ１５１、１５２を切り替え、第１の信号光と第２の信号光とを選択した合分波装置に入力する（Ｓ１０３）。第１の信号光及び第２の信号光が合分波装置に入力され、第３の信号光が出力されるまでは、実施形態１、２と同様であるので、詳細な説明は省略する。
【００７６】
切り替え先として、スルーファイバ１２３を選択する場合（Ｓ１０４）、光スイッチ１５１を切り替え、第１の信号光をスルーファイバ１２３に入力する（Ｓ１０５）。入力された第１の信号光は光スイッチ１５３に出力される（Ｓ１０６）。
【００７７】
［効果］
以上説明したとおり、第３の実施形態によれば、光スイッチを切り替えることにより、ＷＳＳが故障した場合に、信号光の入力先を合分波装置に変更することができる。また所定の波長帯域の異なる合分波装置を複数設けておくことにより、故障前にＷＳＳが合分波する波長帯域とより近い波長帯域で合分波を行う合分波装置を選択することができる。これにより、ＷＳＳの故障前とより近い波長帯域で通信をすることが可能となる。またスルーファイバを設けておくことで、トランク局からの信号光を遮断せずに通信するという方法をとることも可能となる。
【００７８】
なお、図１２、１３、１４では、ＷＳＳ１１０が故障している場合の例を示しているが、この限りではない。第１の実施形態で述べたように、ＷＳＳ１１０が故障していない場合にも、光スイッチ１５１、１５２、１５３は信号光の出力先又は入力元を切り替えることができる。
【００７９】
［第４の実施形態］
［構成］
図１６は、本発明の第４の実施形態における光伝送装置の構成例を示している。第４の実施形態では、合分波装置が、上流方向と下流方向の信号光の入力の切り替え先となっている。
【００８０】
図１６によれば、光伝送装置１００は、ＷＳＳ１１０、１１１と、合分波装置１２０と、光カプラ１３０−１３３と、光スイッチ１６１−１６７と、を備える。第１から第３の実施形態と同様の構成に関しては、同一の符号を付し詳細な説明は省略する。
【００８１】
光伝送装置１００は、上流方向から第１の信号光５００及び第２の信号光５１０が入力される。また光伝送装置１００は、下流方向から第１の信号光５３０及び第２の信号光５４０が入力される。信号光５００、５１０、５３０、５４０は、第１の波長帯域と第２の波長帯域の帯域幅が対応しているものとする。
【００８２】
ＷＳＳ１１０、光カプラ１３０、及び光スイッチ１６１、１６２、１６３は上流方向から入力される信号光の経路上に設けられた装置である。ＷＳＳ１１１、光カプラ１３１、及び光スイッチ１６４、１６５、１６６は下流方向から入力される信号光の経路上に設けられた装置である。光カプラ１３２、１３３、及び光スイッチ１６７は、上流方向と下流方向の両方の経路上に設けられた装置である。
【００８３】
光スイッチ１６１は、ＷＳＳ１１０と光カプラ１３２とに接続されている。光スイッチ１６２は、ＷＳＳ１１０と光カプラ１３３とに接続されている。光スイッチ１６３は、ＷＳＳ１１０と光スイッチ１６７とに接続されている。各光スイッチは信号光の出力先又は入力元を、接続先のいずれかに切り替えることができる。以上説明した内容は、下流方向に設けられた光スイッチ１６４、１６５、１６６についても同様に当てはまる。
【００８４】
光スイッチ１６７は、合分波装置１２０と光スイッチ１６３、１６６とに接続されている。光スイッチ１６７は、合分波装置１２０から入力される信号光の出力先を、光スイッチ１６３、１６６のいずれかに切り替えることができる。
【００８５】
光カプラ１３２は合分波装置１２０と光スイッチ１６１、１６４とに接続されている。光カプラ１３３は合分波装置１２０と光スイッチ１６２、１６５とに接続されている。光カプラ１３２、１３３は入力される信号光を合分波装置１２０に出力する。
【００８６】
また図１６は、ＷＳＳ１１０、１１１のいずれも故障していないときの構成を示している。この構成例は上流方向と下流方向のそれぞれについて、第２の実施形態で示した図５と同様であるので詳細な説明は省略する。
【００８７】
図１７は、上流側の経路上に設けられたＷＳＳ１１０が故障しているときに、上流側の第１の信号光５００及び第２の信号光５１０が合分波装置１２０に入力される構成を示している。図１６と比較すると、光スイッチ１６１、１６２、１６３が切り替えられている。光スイッチ１６１、１６２は信号光の出力先をそれぞれ光カプラ１３２、１３３に切り替えている。光スイッチ１６３は信号光の入力元を光スイッチ１６７に切り替えている。また光スイッチ１６７は信号光の出力先を光スイッチ１６３としている。
【００８８】
第１の信号光５００及び第２の信号光５１０は、合分波装置１２０に入力される。合分波装置１２０は、入力される第１の信号光５００及び第２の信号光５１０を、所定の波長帯域にて合分波する。その結果、合分波装置１２０は、第３の信号光５２０を光スイッチ１６７に出力する。
【００８９】
光スイッチ１６７は合分波装置１２０から入力される信号光５２０を光スイッチ１６３に出力する。これにより上流方向から入力される信号光を、上流方向に出力することが可能となる。
【００９０】
図１８は、下流側の経路上に設けられたＷＳＳ１１１が故障しているときに、下流側の第１の信号光５３０及び第２の信号光５４０が合分波装置１２０に入力される構成を示している。図１６と比較すると、光スイッチ１６４、１６５、１６６、１６７が切り替えられている。光スイッチ１６４、１６５は信号光の出力先をそれぞれ光カプラ１３２、１３３に切り替えている。光スイッチ１６６は信号光の入力元を光スイッチ１６７に切り替えている。また光スイッチ１６７は信号光の出力先を光スイッチ１６６に切り替えている。
【００９１】
第１の信号光５３０及び第２の信号光５４０は、合分波装置１２０に入力される。合分波装置１２０は、入力される第１の信号光５３０及び第２の信号光５４０を、所定の波長帯域にて合分波する。その結果、合分波装置１２０は、第３の信号光５５０を光スイッチ１６７に出力する。
【００９２】
光スイッチ１６７は合分波装置１２０から入力される信号光５５０を光スイッチ１６６に出力する。これにより下流側からの信号光を下流側に出力することが可能となる。
【００９３】
［動作］
図１９のフローチャートを用いて、光伝送装置１００の動作について説明する。図１９は上流側のＷＳＳ１１０又は下流側のＷＳＳ１１１が故障した場合の光伝送装置１００の動作を示している。
【００９４】
光スイッチの切り替えにより、故障側の第１の信号光と第２の信号光とが入力される（Ｓ２０１）。
【００９５】
故障側の第１の信号光と第２の信号光とが合分波装置に入力された後、合分波装置が第１の信号光の所定の波長帯域を透過し（Ｓ３２）、透過した第１の信号光と第２の信号光とを合波する（Ｓ３３）。
【００９６】
光スイッチの切替により、故障側に合分波した信号光を出力する（Ｓ２０２）。
【００９７】
［効果］
以上説明したとおり、第４の実施形態によれば、光スイッチを切り替えることにより、ＷＳＳが故障した場合に、信号光の入力先を合分波装置に変更することができる。合分波装置は、上流側と下流側とのいずれもの信号光の入力先となっている。この構成により、上流側と下流側のそれぞれの切り替え入力先として合分波装置を設けた場合に比べて、光伝送装置全体の構造を、より部品点数の少ない簡易なものとすることができる。
【００９８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００９９】
なお、各実施形態において、第２の信号光は第２の波長帯域のバンド信号のみを含むとしたが、第１の波長帯域にダミー信号を含むようにしてもよい。その場合、合分波装置はダミー信号を遮断することができる。
【０１００】
また、各実施形態において、説明を簡単にするために、合分波装置が透過する所定の波長帯域は、ＷＳＳが合分波する任意の波長帯域と対応しているものとした。しかし、合分波装置の所定の波長帯域がＷＳＳの任意の波長帯域と対応していない場合であっても、合分波装置に第１の信号光と第２の信号光を入力することができる。このとき、合分波装置に入力される信号光は、ＷＳＳの任意の波長帯域と対応しない所定の波長帯域で合分波されるが、断線することなく出力される。
この出願は、２０１６年１２月５日に出願された日本出願特願２０１６−２３５４９４を基礎とする優先権を主張し、その開示の全てをここに取り込む。
【符号の説明】
【０１０１】
１００    光伝送装置
２００、３００    陸揚局（トランク局）
４００    陸揚局（ブランチ局）
１１０、１１１    ＷＳＳ
１２０、１２１、１２２    合分波装置
１２３    スルーファイバ
５００、５３０、６００    第１の信号光
５１０、５４０、６１０    第２の信号光
５２０、５５０、６２０    第３の信号光
５０１、５３１、６０１    第１の波長帯域のバンド信号
５０２、５１１、５３２、５４１、６０２、６１１    第２の波長帯域のバンド信号
１３０−１３３    光カプラ
１４１−１４３、１５１−１５３、１６１−１６７    光スイッチ
１２０１    分波部
１２０２    合波部
【図１】
2018105506.tif 000003
【図２】
2018105506.tif 000004
【図３】
2018105506.tif 000005
【図４】
2018105506.tif 000006
【図５】
2018105506.tif 000007
【図６】
2018105506.tif 000008
【図７】
2018105506.tif 000009
【図８】
2018105506.tif 000010
【図９】
2018105506.tif 000011
【図１０】
2018105506.tif 000012
【図１１】
2018105506.tif 000013
【図１２】
2018105506.tif 000014
【図１３】
2018105506.tif 000015
【図１４】
2018105506.tif 000016
【図１５】
2018105506.tif 000017
【図１６】
2018105506.tif 000018
【図１７】
2018105506.tif 000019
【図１８】
2018105506.tif 000020
【図１９】
2018105506.tif 000021
【国際調査報告】
2018105506.tif 000022
2018105506.tif 000023
2018105506.tif 000024
2018105506.tif 000025